(57)【要約】【課題】エアウェイアダプタにおいて手技への適応性を向上する。【解決手段】生体の鼻孔に接続され鼻腔の呼気を収集する鼻呼気収集部と、鼻呼気収集部により収集された呼気が通過する通気路を形成する通気路部と、通気路部に設けられ、呼気に含まれる所定のガス成分の濃度を測定するガスセンサを装着可能なガスセンサ装着部と、を備え、鼻呼気収集部は、呼気が流通可能な流通状態と呼気の流通を阻害する閉塞状態とを呈する。【選択図】図４
2019171011.tif 000002
【特許請求の範囲】
【請求項１】
生体の鼻孔に接続され鼻腔の呼気を収集する鼻呼気収集部と、
鼻呼気収集部により収集された呼気が通過する通気路を形成する通気路部と、
前記通気路部に設けられ、呼気に含まれる所定のガス成分の濃度を測定するガスセンサを装着可能なガスセンサ装着部と、
を備え、
前記鼻呼気収集部は、前記呼気が流通可能な流通状態と前記呼気の流通を阻害する閉塞状態とを呈する、
エアウェイアダプタ。
【請求項２】
前記鼻呼気収集部は、可撓性を有する部材により形成され、
前記鼻呼気収集部を屈曲させて前記鼻呼気収集部を閉塞する閉塞状態生成部、
を備える、
請求項１に記載のエアウェイアダプタ。
【請求項３】
前記閉塞状態生成部は、
前記鼻呼気収集部に設けられる被係止部と、
前記被係止部と係合して前記鼻呼気収集部が屈曲された状態を維持する係止部と、
を備える、
請求項２に記載のエアウェイアダプタ。
【請求項４】
前記被係止部は、前記鼻呼気収集部に形成される孔であり、
前記係止部は、前記鼻呼気収集部または前記ガスセンサ装着部に形成される凸部である、
請求項３に記載のエアウェイアダプタ。
【請求項５】
前記鼻呼気収集部は、
前記生体の一方の鼻孔に接続され鼻腔の呼気の通気路を形成する第１鼻呼気収集部と、
前記生体の他方の鼻孔に接続され前記鼻腔の呼気の通気路を形成する第２鼻呼気収集部と、
を備える、
請求項１に記載のエアウェイアダプタ。
【請求項６】
前記生体の口腔に接続され前記口腔の呼気を収集する口呼気収集部、
を備え、
前記通気路部は、前記鼻呼気収集部及び前記口呼気収集部から呼気を収集する、
請求項１に記載のエアウェイアダプタ。
【請求項７】
前記鼻呼気収集部にガスを供給するガス供給部、
を備える、
請求項１に記載のエアウェイアダプタ。
【請求項８】
前記通気路部は、前記通気路部の外部と内部とを隔離する隔壁、
を備え、
前記ガスセンサ装着部は、
前記通気路部の前記隔壁に設けられ、
前記隔壁の対向する２面に所定の光透過率を有するガスセンサ計測窓を備える、
請求項１に記載のエアウェイアダプタ。
【請求項９】
生体の鼻孔に接続され鼻腔にガスを供給する鼻孔接続部を備え、
前記鼻孔接続部は、前記ガスが流通可能な流通状態と前記ガスの流通を阻害する閉塞状態とを呈する、
鼻カニューラ。
【請求項１０】
前記鼻孔接続部は、可撓性を有する部材により形成され、
前記鼻孔接続部を屈曲させて前記鼻孔接続部を閉塞する閉塞状態生成部、
を備える、
請求項９に記載の鼻カニューラ。
【請求項１１】
前記閉塞状態生成部は、
前記鼻孔接続部に設けられる被係止部と、
前記被係止部と係合して前記鼻孔接続部が屈曲された状態を維持する係止部と、
を備える、
請求項１０に記載の鼻カニューラ。
【請求項１２】
前記鼻孔接続部を支持するベース部、
を備え、
前記被係止部は、前記鼻孔接続部に形成される孔であり、
前記係止部は、前記ベース部に形成される凸部である、
請求項１１に記載の鼻カニューラ。
【請求項１３】
前記鼻孔接続部は、
前記生体の一方の鼻孔に接続される第１鼻孔接続部と、
前記生体の他方の鼻孔に接続される第２鼻孔接続部と、
を備える、
請求項９に記載の鼻カニューラ。
【発明の詳細な説明】
【技術分野】
【０００１】
本発明は、エアウェイアダプタ、鼻カニューラに関する。
【背景技術】
【０００２】
低酸素状態を解消する治療のために、口腔や鼻腔から高濃度酸素を吸入させる器具として、酸素マスクや酸素カニューラが知られている。また、手術や処置などの手技を行う際に、生体の呼吸状態を監視するために、口腔や鼻腔に酸素を吸入させつつ呼気に含まれる二酸化炭素の濃度を測定する二酸化炭素濃度測定センサ（以下「ＣＯ２センサ」という。）が装着できるエアウェイアダプタがある。
【０００３】
なお、エアウェイアダプタに関連する技術として、被検者の呼吸気が流入する通気路と、被検者の鼻孔からの呼吸気を通気路に導くネーザルカニューラと、被検者の口からの呼吸気を通気路に導くマウスガイドと、通気路に流入した呼吸気の温度変化を検出する温度センサが装着可能なエアウェイケースと、を備えるものが開示されている（例えば、特許文献１参照）。
【先行技術文献】
【特許文献】
【０００４】
【特許文献１】特開２０１４−６４８８１号公報
【発明の概要】
【発明が解決しようとする課題】
【０００５】
ところで、例えば経鼻内視鏡手術など、２つある鼻孔の一方に器具を挿入する手技の場合に、酸素の吸入と呼吸状態の監視とを同時に行うことが望まれている。このような場合に、従来のエアウェイアダプタは、鼻孔に挿入される鼻カニューラが２つの鼻孔に対応して２本設けられていたため、器具を挿入する鼻孔側の鼻カニューラが手技の妨げになるため、様々な手技に適応して使用することが難しかった。
【０００６】
本発明は、エアウェイアダプタ、鼻カニューラにおいて手技への適応性を向上することを目的とする。
【課題を解決するための手段】
【０００７】
本発明は、生体の鼻孔に接続され鼻腔の呼気を収集する鼻呼気収集部と、鼻呼気収集部により収集された呼気が通過する通気路を形成する通気路部と、通気路部に設けられ、呼気に含まれる所定のガス成分の濃度を測定するガスセンサを装着可能なガスセンサ装着部と、を備え、鼻呼気収集部は、呼気が流通可能な流通状態と呼気の流通を阻害する閉塞状態とを呈する。
【０００８】
また、本発明は、生体の鼻孔に接続され鼻腔にガスを供給する鼻孔接続部を備え、鼻孔接続部が、ガスが流通可能な流通状態とガスの流通を阻害する閉塞状態とを呈する。
【発明の効果】
【０００９】
本発明によれば、手技への適応性を向上することができる。
【図面の簡単な説明】
【００１０】
【図１】本発明に係るエアウェイアダプタの第１の実施形態を示す斜視図である。
【図２】図１に示したエアウェイアダプタを正面方向から見た模式図である。
【図３】図１に示したエアウェイアダプタの内部構造を示す右側面方向から見た縦断面図である。
【図４】図１に示したエアウェイアダプタの第１鼻呼気収集部を閉塞させる様子を示す斜視図である。
【図５】図１に示したエアウェイアダプタを人体に装着した状態を示す模式図である。
【図６】本発明に係るエアウェイアダプタの第２の実施形態を示す斜視図である。
【図７】本発明に係るエアウェイアダプタの第３の実施形態を示す斜視図である。
【図８】図７に示したエアウェイアダプタの別の態様を示す斜視図である。
【図９】本発明に係るエアウェイアダプタの第４の実施形態を示す斜視図である。
【図１０】本発明に係る鼻カニューラの実施形態を示すものであり、鼻カニューラを人体に装着した状態を示す模式図である。
【発明を実施するための形態】
【００１１】
以下、本発明に係るエアウェイアダプタ及び鼻カニューラの実施形態について、図面を参照しながら説明する。本実施形態において、エアウェイアダプタは、ガス成分の一例として、生体の一例である人体の口腔や鼻腔からの呼気に含まれる二酸化炭素の濃度を測定する二酸化炭素濃度測定センサ（以下「ガスセンサ」という。）により人体の呼吸状態を監視するため、呼気を収集する。本実施形態において、エアウェイアダプタは、手術や処置などの手技を行う際の低酸素状態を解消するために、口腔や鼻腔に酸素ガスを供給しつつ生体の呼吸状態を監視するものについて説明する。本実施形態において、鼻カニューラは、低酸素状態を解消する治療などのために、鼻孔に挿入される管状の鼻孔接続部から鼻腔にガス（例えば高濃度酸素）を供給する器具である。
【００１２】
なお、以下の説明及び図面において、エアウェイアダプタが生体の一例である人体に装着された際に、人体の顔面に向かい合う方向を正面方向とし、正面方向から見た人体に装着されたエアウェイアダプタの面を正面とする。そして、以下の説明及び図面において、エアウェイアダプタが人体に装着された際の各方向を、正面方向から見て以下のように定める。以下の説明及び図面において、エアウェイアダプタが装着される人体の顔面に向かって左方向を−Ｘ方向、向かって右方向を＋Ｘ方向とする。また、以下の説明及び図面において、人体の口腔の内に向かう方向を＋Ｙ方向、人体の口腔から離れる方向を−Ｙ方向とする。さらに、人体の顔面の上（頭頂）方向を＋Ｚ方向、下（顎）方向が−Ｚ方向とする。
【００１３】
［第１の実施形態］
図１は、本発明に係るエアウェイアダプタの第１の実施形態を示す斜視図である。図１に示すように、エアウェイアダプタ１は、鼻呼気収集部１１と、ガスセンサ装着部１２と、第１ガス供給部１３１と、第２ガス供給部１３２と、口呼気収集部２０と、を備える。
【００１４】
鼻呼気収集部１１は、エアウェイアダプタ１において、ガスセンサ装着部１２が設けられる位置を中心としてみると、＋Ｚ軸方向及び＋Ｙ軸方向に延出して設けられる。鼻呼気収集部１１は、例えばシリコーン樹脂など人体への影響度が低く軟質で可撓性を有する部材により形成される。
【００１５】
ガスセンサ装着部１２は、鼻呼気収集部１１の−Ｚ軸方向下方に設けられる。図１において一点鎖線で示すように、ガスセンサ装着部１２には、正面から＋Ｙ軸方向に向かってガスセンサ３０が装着可能である。
【００１６】
第１ガス供給部１３１は、エアウェイアダプタ１のガスセンサ装着部１２が設けられる位置を中心に、−Ｘ軸方向に延出して設けられる。第２ガス供給部１３２は、エアウェイアダプタ１のガスセンサ装着部１２が設けられる位置を中心に、＋Ｘ軸方向に延出して設けられる。
【００１７】
口呼気収集部２０は、エアウェイアダプタ１のガスセンサ装着部１２が設けられる位置を中心としてみると、−Ｚ軸方向に延出して設けられる。口呼気収集部２０は、エアウェイアダプタ１を人体の顔面に装着したときに、口腔の前に位置し、口からの呼気を収集してガスセンサ装着部１２に送る。
【００１８】
図２は、エアウェイアダプタ１を正面方向から見た模式図である。図２に示すように、鼻呼気収集部１１は、ガスセンサ装着部１２の上部から第１鼻呼気収集部１１１及び第２鼻呼気収集部１１２に分岐する。
【００１９】
第１鼻呼気収集部１１１及び第２鼻呼気収集部１１２は、それぞれ略円筒状の流路である。第１鼻呼気収集部１１１及び第２鼻呼気収集部１１２は、エアウェイアダプタ１が人体に装着されるときに、それぞれ先端部が人体の２つの鼻孔の一方に挿入される。鼻呼気収集部１１は、人体の鼻腔から放出された呼気をガスセンサ装着部１２の方向に収集する。また、鼻呼気収集部１１は、第１ガス供給部１３１及び第２ガス供給部１３２から供給されるガスを人体の鼻孔に送り出してもよい。
【００２０】
第１鼻呼気収集部１１１は、正面側の先端部付近に、第１被係止部１１３を備える。また、第２鼻呼気収集部１１２は、正面側の先端部付近に、第２被係止部１１４を備える。第１被係止部１１３及び第２被係止部１１４は、ともに第１鼻呼気収集部１１１及び第２鼻呼気収集部１１２に形成される貫通孔である。
【００２１】
ガスセンサ装着部１２は、ベース部１２１と、ガスセンサ係合部１２２と、マグネット部１２３と、ガスセンサ係止部１２４と、ガスセンサ計測窓１２５と、第１係止部１２７と、第２係止部１２８と、を備える。
【００２２】
ベース部１２１は、ガスセンサ装着部１２の概略形状を形成し、ガスセンサ装着部１２の上部に設けられる鼻呼気収集部１１を支持する。
【００２３】
ガスセンサ係合部１２２は、ガスセンサ３０を係合させるために設けられる。ガスセンサ係合部１２２は、ガスセンサ３０の被係合部位と係合可能な形状を有する。具体的には、ガスセンサ係合部１２２は、少なくとも正面及び両側面に外部と内部とを隔離する隔壁を有することで、内部の空間に鼻呼気収集部１１及び口呼気収集部２０からの呼気が流入する通気路部が形成される。
【００２４】
マグネット部１２３は、ガスセンサ３０の被係合部に設けられるマグネット部と接触可能である。マグネット部１２３は、例えばガスセンサ係合部１２２の正面方向の面に設けられる。マグネット部１２３は、ガスセンサ３０の不図示のマグネット部と接触してガスセンサ３０の脱落を防止する。
【００２５】
ガスセンサ係止部１２４は、ガスセンサ３０の筐体の少なくとも一部を係止するために、ガスセンサの筐体の一部を受容可能な形状を有する。
【００２６】
ガスセンサ計測窓１２５は、ガスセンサ装着部１２に取り付けられるガスセンサ３０により、ガスセンサ係合部１２２に形成された通気路部内に流入する呼気に含まれるガスの二酸化炭素濃度を計測するために設けられる。このため、ガスセンサ計測窓１２５は、ガスセンサ３０の発光部からの光及び受光部への光を通過可能に形成される。ガスセンサ計測窓１２５は、例えば所定の光透過率が確保された窓である。ガスセンサ計測窓１２５は、図１で示したようにガスセンサ３０が取り付けられた際に上記発光部及び受光部の位置に対応する位置、例えばガスセンサ係合部１２２を形成する両側面の対向する２面の隔壁に設けられる。
【００２７】
図３は、エアウェイアダプタ１の内部構造を示す右側面方向から見た縦断面図である。図３では、エアウェイアダプタ１の内部構造を示すために、第１鼻呼気収集部１１１、ガスセンサ係合部１２２、及び口呼気収集部２０の断面を示す。図３に示すように、ガスセンサ係合部１２２には、通気路部１２６が形成されている。通気路部１２６は、ガスセンサ係合部１２２の隔壁の内部に設けられる。通気路部１２６は、図３において矢印Ａ１で示す鼻呼気収集部１１からの呼気、及び、矢印Ａ２で示す口呼気収集部２０により収集された呼気の通気路となる。通気路部１２６に収集された呼気は、ガスセンサ係合部１２２に取り付けられるガスセンサ３０によりＣＯ２の濃度が計測される。
【００２８】
第１係止部１２７は、ベース部１２１の上部に設けられる。第１係止部１２７は、ベース部１２１の上に突出する凸部である。第１係止部１２７は、第１被係止部１１３を係止することができるように、第１被係止部１１３の孔の寸法に対応した大きさの凸部として形成される。また、第１係止部１２７は、係止される第１被係止部１１３の係止状態を維持するために鉤形状に形成されてもよい。
【００２９】
第２係止部１２８は、第１係止部１２７と同様に、ベース部１２１の上部に設けられる。第２係止部１２８は、第１係止部１２７と同様に、ベース部１２１の上に突出する凸部であり、大きさや形状は第１係止部１２７と同様であるのが望ましい。
【００３０】
図１乃至図３に示すように、ガス供給部は、第１ガス供給部１３１と、第２ガス供給部１３２と、第１チューブ接続部１３３と、第２チューブ接続部１３４とを備える。
【００３１】
第１ガス供給部１３１は、鼻呼気収集部１１にガスを供給するための流路である。第１ガス供給部１３１は、人体の顔面に向かって左側に設けられる。第２ガス供給部１３２も、第１ガス供給部１３１と同様に鼻呼気収集部１１にガスを供給するための流路である。第２ガス供給部１３２は、人体の顔面に向かって右側に設けられる。
【００３２】
第１チューブ接続部１３３は、第１ガス供給部１３１の端部に設けられる。第１チューブ接続部１３３は、ガスを供給する不図示のチューブを接続可能である。第１チューブ接続部１３３は、第１ガス供給部１３１と連通する開口である。第１チューブ接続部１３３に接続されたチューブから供給されるガスは、第１ガス供給部１３１から鼻呼気収集部１１を通過して人体の鼻孔から鼻腔に供給される。
【００３３】
第２チューブ接続部１３４は、第２ガス供給部１３２の端部に設けられる。第２チューブ接続部１３４は、第１チューブ接続部１３３と同様にガスを供給する上記チューブを接続可能である。第２チューブ接続部１３４は、第２ガス供給部１３２と連通する開口である。第２チューブ接続部１３４に接続されたチューブから供給されるガスは、第２ガス供給部１３２から鼻呼気収集部１１を通過して人体の鼻孔から鼻腔に供給される。
【００３４】
図４は、エアウェイアダプタ１の第１鼻呼気収集部１１１を閉塞させる様子を示す斜視図である。図４では、鼻呼気収集部１１の第１鼻呼気収集部１１１を−Ｙ軸方向に屈曲させて、第１被係止部１１３を第１係止部１２７に係止させることで、第１鼻呼気収集部１１１を閉塞させる様子を示す。
【００３５】
エアウェイアダプタ１は、上述のように鼻呼気収集部１１が可撓性を有する材料で形成される。エアウェイアダプタ１では、第１鼻呼気収集部１１１に第１被係止部１１３が、第２鼻呼気収集部１１２に第２被係止部１１４が、それぞれ設けられる。また、エアウェイアダプタ１は、上述のように正面側のガスセンサ装着部１２のベース部１２１に第１係止部１２７及び第２係止部１２８が設けられる。そして、エアウェイアダプタ１では、第１被係止部１１３を第１係止部１２７に係止し、第２被係止部１１４を第２係止部１２８に係止することで、軟質で可撓性を有する部材により形成される第１鼻呼気収集部１１１及び第２鼻呼気収集部１１２が撓む。その結果、第１鼻呼気収集部１１１及び第２鼻呼気収集部１１２の流路の状態は、それぞれの流路がつぶれて呼気が流通可能な流通状態から、呼気の流通が阻害される閉塞状態に変化する。
【００３６】
以上説明したように、エアウェイアダプタ１において、第１被係止部１１３及び第２被係止部１１４は、第１鼻呼気収集部１１１を閉塞可能にする閉塞状態生成部として機能する。また、エアウェイアダプタ１において、第１係止部１２７及び第２係止部１２８は、第２鼻呼気収集部１１２を閉塞可能にする閉塞状態生成部として機能する。そして、エアウェイアダプタ１において、鼻呼気収集部１１の第１鼻呼気収集部１１１及び第２鼻呼気収集部１１２は、呼気が流通可能な流通状態と呼気の流通を阻害する閉塞状態とを呈することができる。
【００３７】
［エアウェイアダプタの使用例］
次に、以上説明したエアウェイアダプタ１の使用例について説明する。
【００３８】
図５は、エアウェイアダプタ１を人体Ｈに装着した状態を示す模式図である。図５に示すように、エアウェイアダプタ１は、人体Ｈに装着した際に、一方の鼻孔ＮＨ１から経鼻内視鏡手術用の器具を挿入するような場合に、第１被係止部１１３を第１係止部１２７に係止することで、第１鼻呼気収集部１１１を閉塞させることができる。
【００３９】
以上説明したように、エアウェイアダプタ１によれば、器具を鼻孔ＮＨ１に挿入する際に鼻呼気収集部１１が手技の妨げになることを防ぎ、手技への適応性を向上させることができる。
【００４０】
また、このように使用することができるエアウェイアダプタ１によれば、鼻孔ＮＨ１から鼻水や薬品などの液体が滴下するような状況でも、第１鼻呼気収集部１１１を閉塞させることができる。このため、液体が通気路部１２６に混入してガスセンサ３０が誤作動を起こすことを防ぐことができる。
【００４１】
なお、鼻呼気収集部１１において、第１被係止部１１３及び第２被係止部１１４が設けられる位置は、上述の位置には限定されない。第１被係止部１１３及び第２被係止部１１４は、可撓性を有する鼻呼気収集部１１を係止して屈曲させた状態を維持することで、鼻呼気収集部１１を閉塞させることができればよい。
【００４２】
また、エアウェイアダプタ１において、ガス供給部は、上述の第１ガス供給部１３１及び第２ガス供給部１３２のように人体の顔面に向かって左右に分かれる物には限定されない。例えば、ガス供給部は、１つのチューブ接続部に接続される上記チューブからガスを供給するものであってもよい。
【００４３】
［第２の実施形態］
次に、本発明に係るエアウェイアダプタの第２の実施形態について説明する。本実施形態では、先に説明した実施形態に係るエアウェイアダプタ１との相違点のみを説明する。
【００４４】
図６は、本発明に係るエアウェイアダプタの第２の実施形態を示す斜視図である。図６に示すように、本実施形態に係るエアウェイアダプタ１Ａは、鼻呼気収集部１１Ａ及びガスセンサ装着部１２Ａの構成が先に説明したエアウェイアダプタ１の鼻呼気収集部１１と相違する。
【００４５】
鼻呼気収集部１１Ａは、第１鼻呼気収集部１１１Ａ及び第２鼻呼気収集部１１２Ａがエアウェイアダプタ１から着脱可能に形成される。図６では、第２鼻呼気収集部１１２Ａのみをエアウェイアダプタ１から取り外した状態を示している。
【００４６】
第１鼻呼気収集部１１１Ａ及び第２鼻呼気収集部１１２Ａは、ガスセンサ装着部１２Ａのベース部１２１Ａに設けられる管状の被着部１２９に被着されることで、エアウェイアダプタ１Ａに取り付けられる。
【００４７】
第１鼻呼気収集部１１１Ａ及び第２鼻呼気収集部１１２Ａが取り外された被着部１２９には、閉塞状態生成部として蓋１１５が取り付けられて、鼻呼気収集部の通気路を閉塞することができる。
【００４８】
以上説明したように、エアウェイアダプタ１Ａでは、第１鼻呼気収集部１１１Ａまたは第２鼻呼気収集部１１２Ｂを取り外して蓋１１５により閉塞することで、鼻呼気収集部１１Ａが他方の鼻孔に対する器具の挿入などの手技を妨げるになることを防ぐ。したがって、エアウェイアダプタ１Ａによれば、手技への適応性を向上させることができる。
【００４９】
［第３の実施形態］
次に、本発明に係るエアウェイアダプタの第３の実施形態について説明する。本実施形態では、先に説明した実施形態に係るエアウェイアダプタ１との相違点のみを説明する。
【００５０】
図７は、本発明に係るエアウェイアダプタの第３の実施形態を示す斜視図である。図７に示すように、本実施形態に係るエアウェイアダプタ１Ｂは、鼻呼気収集部１１Ｂ及びガスセンサ装着部１２Ｂの構成が先に説明したエアウェイアダプタ１の鼻呼気収集部１１及びガスセンサ装着部１２と相違する。
【００５１】
鼻呼気収集部１１Ｂは、第１鼻呼気収集部１１１及び第２鼻呼気収集部１１２を備える鼻呼気収集部１１と異なり、鼻孔に挿入可能な１つの管状の部分を備える。鼻呼気収集部１１Ｂは、ガスセンサ装着部１２Ｂのベース部１２１Ｂに対してＺ軸方向を中心に回動可能に構成されている。このため、鼻呼気収集部１１Ｂは、図７に示すように人体の右側の鼻孔に挿入しやすいように人体に向かって左寄りに偏倚させることができる。
【００５２】
図８は、エアウェイアダプタ１Ｂの別の態様を示す斜視図である。鼻呼気収集部１１Ｂは、ベース部１２１Ｂに対して回動させることで、図８に示すように人体の左側の鼻孔に挿入しやすいように人体に向かって右寄りに偏倚させることができる。
【００５３】
なお、図７及び図８では、ガス供給部を含めて鼻呼気収集部１１Ｂの全体がベース部１２１Ｂに対して回動する例を示したが、本発明ではこれに限定されない。鼻呼気収集部１１Ｂは、例えば鼻孔に挿入される円筒状の部分と通気路部１２６との接続部分のみが回動し、ガス供給部が回動しないように構成されていてもよい。
【００５４】
以上説明したように、エアウェイアダプタ１Ｂでは、１つの鼻呼気収集部１１Ｂを鼻孔の一方側に偏倚させることで、鼻呼気収集部１１Ｂが他方の鼻孔に対する器具の挿入などの手技を妨げるになることを防ぎ、手技への適応性を向上させることができる。
【００５５】
［第４の実施形態］
次に、本発明に係るエアウェイアダプタの第４の実施形態について説明する。本実施形態では、先に説明した実施形態に係るエアウェイアダプタ１との相違点のみを説明する。
【００５６】
図９は、本発明に係るエアウェイアダプタの第４の実施形態を示す斜視図である。図９に示すように、本実施形態に係るエアウェイアダプタ１Ｃは、鼻呼気収集部１１Ｃの構成が先に説明したエアウェイアダプタ１の鼻呼気収集部１１と相違する。
【００５７】
鼻呼気収集部１１Ｃは、第１鼻呼気収集部１１１及び第２鼻呼気収集部１１２を備える鼻呼気収集部１１と異なり、鼻孔に挿入可能な１つの管状の部分を備える。エアウェイアダプタ１Ｃは、人体に装着する際に、２つの鼻孔のうち鼻孔への手技を行わない側の鼻孔に鼻呼気収集部１１Ｃを挿入する。この際、鼻呼気収集部１１Ｃは、上述の鼻呼気収集部１１等よりも管長が長くてもよい。
【００５８】
以上説明したように、エアウェイアダプタ１Ｃでは、１つの鼻呼気収集部１１Ｃを鼻孔の一方に挿入することで、鼻呼気収集部１１Ｃが他方の鼻孔に対する器具の挿入などの手技を妨げるになることを防ぎ、手技への適応性を向上させることができる。
【００５９】
［第５の実施形態］
次に、本発明に係る鼻カニューラの実施形態を第５の実施形態として説明する。本実施形態では、先に説明した実施形態に係るエアウェイアダプタ１との相違点のみを説明する。
【００６０】
図１０は、本発明に係る鼻カニューラ１Ｄの実施形態を示すものであり、鼻カニューラ１Ｄを人体Ｈに装着した状態を示す模式図である。図１０に示すように、鼻カニューラ１Ｄは、第１鼻孔接続部１１１Ｄ、第２鼻孔接続部１１２Ｄ、第１被係止部１１３、第２被係止部１１４、ベース部１２１、第１係止部１２７、第２係止部１２８、第１ガス供給部１３１、及び、第２ガス供給部１３２を備える。
【００６１】
第１鼻孔接続部１１１Ｄは、人体Ｈの左側の鼻孔ＮＨ１に接続され鼻腔にガスを供給する。第２鼻孔接続部１１２Ｄは、人体Ｈの右側の鼻孔ＮＨ２に接続され鼻腔にガスを供給する。第１鼻孔接続部１１１Ｄの構成は、第１係止部１２７に係止できる第１被係止部１１３を備える点を含めて、上述の第１鼻呼気収集部１１１と同様である。また、第２鼻孔接続部１１２Ｄの構成は、第２係止部１２８に係止できる第２被係止部１１４を備える点を含めて、上述の第２鼻呼気収集部１１２と同様である。ベース部１２１は、鼻カニューラ１Ｄの概略形状を形成する。ベース部１２１は、第１鼻孔接続部１１１Ｄ及び第２鼻孔接続部１１２Ｄを有する鼻孔接続部と、第１ガス供給部１３１及び第２ガス供給部１３２を有するガス供給部とを支持する。第１係止部１２７及び第２係止部１２８は、上述のエアウェイアダプタ１の第１係止部１２７及び第２係止部１２８と同様に、ベース部１２１の上に突出する凸部である。
【００６２】
第１ガス供給部１３１は、第１鼻孔接続部１１１Ｄにガスを供給する。また、第２ガス供給部１３２は、第２鼻孔接続部１１２Ｄにガスを供給する。
【００６３】
そして、鼻カニューラ１Ｄは、図１０に示すように、人体Ｈに装着した際に、エアウェイアダプタ１と同様に、一方の鼻孔ＮＨ１から経鼻内視鏡手術用の器具を挿入するような場合に、第１係止部１２７を第１被係止部１１３に係止することができる。このため、鼻カニューラ１Ｄによれば、第１係止部１２７と第１被係止部１１３とを備えるエアウェイアダプタ１と同様に、第１鼻孔接続部１１１Ｄを閉塞させることができる。また、鼻カニューラ１Ｄは、人体Ｈに装着した際に、エアウェイアダプタ１と同様に、他方の鼻孔ＮＨ２から経鼻内視鏡手術用の器具を挿入するような場合に、第２係止部１２８を第２被係止部１１４に係止することができる。つまり、鼻カニューラ１Ｄにおいて、第１鼻孔接続部１１１Ｄ及び第１係止部１２７と、第２鼻孔接続部１１２Ｄ及び第２係止部１２８とは、可撓性を有する部材により形成される鼻孔接続部を屈曲させて鼻腔接続部を閉塞する、閉塞状態生成部として機能する。このため、鼻カニューラ１Ｄによれば、第２係止部１２８と第２被係止部１１４とを備えるエアウェイアダプタ１と同様に、第２鼻孔接続部１１２Ｄを閉塞させることができる。
【００６４】
以上説明したように、鼻カニューラ１Ｄによれば、器具を鼻孔ＮＨ１または鼻孔ＮＨ２に挿入する際に第１鼻孔接続部１１１Ｄまたは第２鼻孔接続部１１２Ｄが手技の妨げになることを防ぎ、手技への適応性を向上させることができる。
【符号の説明】
【００６５】
１  エアウェイアダプタ
１Ｄ  鼻カニューラ
１１  鼻呼気収集部
１２  ガスセンサ装着部
２０  口呼気収集部
３０  ガスセンサ
１１１  第１鼻呼気収集部
１１１Ｄ  第１鼻孔接続部
１１２  第２鼻呼気収集部
１１２Ｄ  第２鼻孔接続部
１１３  第１被係止部
１１４  第２被係止部
１１５  蓋
１２１  ベース部
１２２  ガスセンサ係合部
１２３  マグネット部
１２４  ガスセンサ係止部
１２５  ガスセンサ計測窓
１２６  通気路部
１２７  第１係止部
１２８  第２係止部
１２９  被着部
１３１  第１ガス供給部
１３２  第２ガス供給部
１３３  第１チューブ接続部
１３４  第２チューブ接続部
【図１】
2019171011.tif 000003
【図２】
2019171011.tif 000004
【図３】
2019171011.tif 000005
【図４】
2019171011.tif 000006
【図５】
2019171011.tif 000007
【図６】
2019171011.tif 000008
【図７】
2019171011.tif 000009
【図８】
2019171011.tif 000010
【図９】
2019171011.tif 000011
【図１０】
2019171011.tif 000012